(57)【要約】【課題】遊技用記録媒体の入金を予め定めた限度内に制限する。【解決手段】カード販売機２０に現金を投入して遊技用のカードを購入する場合、予め遊技者の識別情報と共に入金限度額を登録する。遊技者が現金を追加入金する際に、入金限度額と累計された既入金額と投入予定金額を加えた合計金額とを対比して、合計金額が入金限度額を越えるか否か判断する。入金限度額を越えなければ現金投入口２２のシャッターを開放して入金を許し、越えていれば前記シャッターは開放せず現金の投入を禁止する。【選択図】      図１
2004261395.tif 000002
【特許請求の範囲】
【請求項１】
入金に基づき発行されかつ追加入金可能な遊技用記録媒体の入金管理装置であって、遊技者毎に入金限度額を設定する手段、遊技者を識別する情報と共に入金限度額及び入金累計額を記憶する手段、入金額と既に入金された累計額とを加算する手段、前記入金額又は加算額と前記入金限度額とを比較する手段、及び前記入金額又は加算額が前記入金限度額を越えないとき入金を許可し、前記入金限度額を超えたとき入金を禁止する入金許可手段を備えたことを特徴とする遊技用記録媒体の入金管理装置。
【請求項２】
入金に基づき発行されかつ追加入金可能な遊技用記録媒体の入金管理装置であって、遊技者毎に入金限度額を設定する手段、入金額を入力する手段、遊技者を識別する情報と共に入金限度額及び入金累計額を記憶する手段、前記入力金額と既に入金された累計額とを加算する手段、前記入力金額又は加算額と前記入金限度額とを比較する手段、及び前記入力金額又は加算額が前記入金限度額を越えないとき入金を許可し、前記入金限度額を超えたとき入金を禁止する入金許可手段を備えたことを特徴とする遊技用記録媒体の入金管理装置。
【請求項３】
請求項１又は２に記載された入金管理装置において、前記入金限度額設定手段は一度入金限度額が設定された後は、該遊技用記録媒体について前記設定の変更が一定条件を満たさない限り不可であることを特徴とする遊技用記録媒体の入金管理装置。
【請求項４】
請求項３に記載された遊技用記録媒体の入金管理装置において、入金限度額の設定を強制変更する手段を更に備えたことを特徴とする遊技用記録媒体の入金管理装置。
【請求項５】
請求項１ないし４のいずれかに記載された遊技用記録媒体の入金管理装置において、前記入金許可手段は、入金限度額設定手段により入金限度額が設定されたときのみ入金を許可することを特徴とする情報記録媒体管理装置。
【請求項６】
請求項１ないし５のいずれかに記載された遊技用記録媒体の入金管理装置において、遊技用記録媒体の精算金額を記憶する手段を備え、前記入金限度額設定手段は、当該遊技用記録媒体に入金された累計額と前記遊技用記録媒体の精算額との差が所定範囲を超えたとき、当該遊技者の次回入金時の入金限度額を前回入金限度額よりも低い値に自動設定する手段を備えていることを特徴とする遊技用記録媒体の入金管理装置。
【発明の詳細な説明】
【０００１】
【発明の属する技術分野】
本発明は、パチンコなどの遊技施設で使用するカードユニット装置に関し、とくに、遊技用記録媒体への入金を制限することができるカードユニット装置に関する。
【０００２】
【従来の技術】
パチンコなどの遊技施設において、現金に換えてカードを用いて貸し玉等を貸し出して遊技をすることが一般に広く行われている。カードを使用して遊技を行う場合は、例えば、パチンコホール等の遊技施設内において、現金を手持ちの記録媒体又は管理装置の記憶手段に一旦チャージし、この記録媒体等の情報に基きチャージ金額に応じた玉貸し／メダル貸し等に使用する機能が、一般的に使用されている。
例えば、カード状記憶媒体のデータ記憶部に当該記録媒体の金額情報を記憶するとともに、遊技装置を管理する管理装置の記憶手段に、各記憶媒体毎に付与された識別符号を用いて各記憶媒体の有する金額情報を記憶して、両方の記憶手段で金額を管理し、カード状記憶媒体のコピーによる不正を確実に防止するようにしたもの（特許文献１）、記憶媒体の金額情報を記憶する記憶手段を有する管理装置と、該金額情報に基いた記憶媒体清算装置とを通信可能にして、清算処理に応じて受信した情報を管理装置の記憶媒体に記憶するようにしたもの（特許文献２）等が知られているが、何れも、チャージ分の金額が無くなると、再び現金を入金し再チャージして遊技することができるものである。
【０００３】
【特許文献１】特許第２６６３２４３号
【特許文献２】特許第２６８８７００号
【０００４】
【発明が解決しようとする課題】
現在のカードシステムでは、以上で説明したように現金の再入金（リチャージ）は無制限に行えるため、遊技者が遊技に夢中になると途中で遊技を中止することは難しく、その結果当初予定した金額以上に入金して思わぬ損失を被ることがあるという問題がある。
そのため、本発明の目的は、遊技施設等において予め定めた金額以上の入金ができないように、カード等の遊技用記録媒体の入金可能金額に上限を設けて、一定額以上の現金を投入することを禁止し、使いすぎを防止し計画的に遊技等ができるようにすることである。
【０００５】
【課題を解決するための手段】
請求項１の発明は、入金に基づき発行されかつ追加入金可能な遊技用記録媒体の入金管理装置であって、遊技者毎に入金限度額を設定する手段、遊技者を識別する情報と共に入金限度額及び入金累計額を記憶する手段、入金額と既に入金された累計額とを加算する手段、前記入金額又は加算額と前記入金限度額とを比較する手段、及び前記入金額又は加算額が前記入金限度額を越えないとき入金を許可し、前記入金限度額を超えたとき入金を禁止する入金許可手段を備えたことを特徴とする遊技用記録媒体の入金管理装置である。
請求項２の発明は、入金に基づき発行されかつ追加入金可能な遊技用記録媒体の入金管理装置であって、遊技者毎に入金限度額を設定する手段、入金額を入力する手段、遊技者を識別する情報と共に入金限度額及び入金累計額を記憶する手段、前記入力金額と既に入金された累計額とを加算する手段、前記入力金額又は加算額と前記入金限度額とを比較する手段、及び前記入力金額又は加算額が前記入金限度額を越えないとき入金を許可し、前記入金限度額を超えたとき入金を禁止する入金許可手段を備えたことを特徴とする遊技用記録媒体の入金管理装置である。
請求項３の発明は、請求項１又は２に記載された入金管理装置において、前記入金限度額設定手段は一度入金限度額が設定された後は、該遊技用記録媒体について前記設定の変更が一定条件を満たさない限り不可であることを特徴とする遊技用記録媒体の入金管理装置である。
請求項４の発明は、請求項３に記載された遊技用記録媒体の入金管理装置において、入金限度額の設定を強制変更する手段を更に備えたことを特徴とする遊技用記録媒体の入金管理装置である。
請求項５の発明は、請求項１ないし４のいずれかに記載された遊技用記録媒体の入金管理装置において、前記入金許可手段は、入金限度額設定手段により入金限度額が設定されたときのみ入金を許可することを特徴とする情報記録媒体管理装置である。
請求項６の発明は、請求項１ないし５のいずれかに記載された遊技用記録媒体の入金管理装置において、遊技用記録媒体の精算金額を記憶する手段を備え、前記入金限度額設定手段は、当該遊技用記録媒体に入金された累計額と前記遊技用記録媒体の精算額との差が所定範囲を超えたとき、当該遊技者の次回入金時の入金限度額を前回入金限度額よりも低い値に自動設定する手段を備えていることを特徴とする遊技用記録媒体の入金管理装置である。
【０００６】
【発明の実施の形態】
本発明を添付する図面を参照して説明する。
図１は本発明の情報記録媒体管理装置を全体的に示すブロック図である。
図中１０はパチンコ等の遊技機を示す。遊技機１０の一端部には例えば磁気カードなどのカード挿入口１２が設けられている。
また、２０はカード販売機である。カード販売機２０はカードを購入するための現金投入口２２と、販売したカード及び釣り銭の払い出し口２５（釣り銭を精算機で払い出すシステムの場合は釣り銭払い出し口は不要である）、及びカードに入金するためのカード挿入口２４、必要な情報を表示するための表示装置２６、及び遊技者が自分の入金限度額を設定するため、或いは投入金額を入力するための入力手段２８を備えている。
【０００７】
遊技機１０及びカード販売機２０には遊技者以外の第三者が入金額の上限を設定したり或いは設定された金額を変更するなどの操作を行うためのＰＣ（Ｐｅｒｓｏｎａｌ  Ｃｏｍｐｕｔｅｒ）等端末装置３０が接続されており、更に、この端末装置３０はホール内の全ての端末、カード販売機２０及び遊技機１０からのデータを蓄積管理するためのＰＣ等の情報処理装置を備えたホール管理センター４０に接続されている。なお、ホール管理センター４０のＰＣからも第三者による入金限度額の金額変更が可能である。
【０００８】
ここで、遊技者がカード販売機２０の入力装置２８に遊技者の識別情報（識別情報は例えば遊技者の当該遊技施設における会員番号等、遊技者を特定できる情報であれば任意である）、例えばその日１日分の自分の入金限度額、入金額を入力すると、これらの情報はカード販売機２０と通信可能に接続されたホール管理センター４０の記憶装置に記憶され、かつ、ホール管理センター４０では入金額が設定された入金限度額の範囲内であると判断したときには、現金投入口２２のシャッター駆動機構（図示せず）に信号を送り同シャッター（図示せず）を開放する。遊技者が現金投入口２２に現金を投入すると、カード販売機２０は投入された貨幣の真贋を判定し、真であれば投入された金額と入力された金額とを比較して一致している場合、又は投入金額が入力金額を上回っていれば釣り銭を支払いカードを発行し、不足していれば追加入金を待つ。
【０００９】
カードの発行に際して、カード販売機２０は遊技者の識別情報、入金限度額、投入金額情報の内少なくとも遊技者識別情報を当該カードに書き込み、必要に応じて遊技者識別情報や入金限度額等を印刷してカードを発行する。また、それと共に前記識別情報等の情報をカード販売機２０の表示装置２６に表示する。
なお、入力金額又は入力金額と入金累計額の加算額が入金限度額を上回わるときは、ホール管理センター４０は前記シャッター駆動機構に信号を送らず、従って現金投入口のシャッターは開放せず、入金が禁止される。この場合、ホール管理センター４０は入金額が入金限度額を上回っていることを可視的又は音声等によって遊技者に知らせる。
【００１０】
遊技者はカードの発給を受けた後、パチンコ機に設けたカード投入口からカードを投入すると、カードの識別情報が読み取られ、ホール管理センター４０の記憶装置に記憶されている投入金額が読み出され、その金額の限度内において貸玉の提供を受ける。遊技者が貸玉の提供を受ける毎にその金額に換算された情報がホール管理センター４０の記憶手段に記憶されている投入金額から減算され残額が新たに記録される。
【００１１】
遊技者が遊技をするうち最初に入金したカードの残額が１回の貸玉相当金額を下回ると、遊技者はそれ以上の貸玉の提供を受けることができない。そこで、例えばカード販売機２０のカード投入口２４にカードを挿入する。カード販売機２０のカード読み取り装置（図示せず）はカードの識別情報を読み取り、その情報をホール管理センター４０に送信する。ホール管理センター４０では前記識別情報からその競技者に関する入金限度額、既入金累計額を読み出して入金可能額を算出し、この情報をカード販売機２０に送りその表示装置２６に表示する。
【００１２】
遊技者はその表示に従って追加入金しようとする金額を入力する。ホール管理センター４０では、既入金額と入力された追加加入金額を加算し、その加算額が設定した入金限度額を越えていないと判断すると、現金投入口２２のシャッター駆動装置に信号を送り、シャッターを開いて入金を可能にする。
しかし、遊技者が表示を無視し或いは誤って入金可能額を上回った金額を指定すると、ホール管理センター４０では前記加算額が設定した入金額を越えていると判断して現金投入口のシャッター駆動装置の開放を行わず、従って、現金投入口２２のシャッターは閉じたままとなり入金が禁止され、かつ入金できない旨を可視的或いは音声等により遊技者に伝えカードを返却する。
【００１３】
追加入金が許可されて現金投入口から現金を投入すると、カード販売機２０は前述のようにその真贋の判定等を行った後、前述のように必要に応じて現金精算処理を行い、かつ追加入金された金額情報がホール管理センター４０に送信され、その記憶手段に記憶された当該カードの残額に付加して追加入金された金額が書き込まれる。
なお、カードへの金額の追加入金はカード販売機のみでなく、例えば専用の装置を備えるか或いはパチンコ機に入金装置等を付設して行ってもよい。
【００１４】
図２は以上で説明したパチンコ機における入金処理動作を説明するためのフロー図である。即ち、ホール管理センター４０の管理装置は、遊技者がカード２をカード販売機２０のカード挿入口２４に挿入することで処理をスタートさせ、遊技者が次に現金の追加入金額の入力を行うと（Ｓ１０１）、当該遊技者が保持するカードの入金累計額にこの入力した追加金額を加算した入金累計金額が、予め設定した入金限度額に達していないか判断する（Ｓ１０２）。入金限度額に達していなければ（Ｓ１０２，ＮＯ）、カード販売機２０へ信号を送りシャッター駆動装置を駆動して現金投入口２２のシャッターを開放して入金を許可する。
その後入金があれば（Ｓ１０３、ＹＥＳ）、カードの入金処理を行う、つまり、当該カードの残額に新たに投入した金額を加算して記憶する（Ｓ１０４）。またそれと同時に、ホール管理センター４０において入金累計額を書き換える処理を行う（Ｓ１０５）。
ステップＳ１０２で、当該遊技者が保持するカードの入金累計額に新たに投入した金額を加算した入金累計金額が、予め設定した入金限度額を越えているときは（Ｓ１０２、ＹＥＳ）、表示或いは音声など任意の方法で遊技者に入金できない旨を通知し（Ｓ１０６）、処理を終了して挿入されたカードを返却する。
【００１５】
以上で説明した第１の実施形態においては、日毎の入金管理を行い１日内での累計処理を行うが、入金管理はそれにとどまらず、週毎／月毎／年毎の累計処理を行い、これに対して入金制限を行うことも可能である。つまり、周単位、月単位、年単位の入金限度額を設定することができる。
【００１６】
以上の実施形態では、入金する際にカード販売機２０にまず入金額を入力しているが、直接入金して、その入金額又は入金額と既に入金された累計金額とを加算して、その加算額が予め設定した入金限度額を超えなければ、その入金額を記憶装置に入金額累計として追記し、かつ、上回る場合は、入金額の記憶装置への追記を認めずそのまま返金するシステムとすることもできる。
また、遊技者本人が入金限度額を設定しかつ入金限度額は変更不可であることが前提であるが、遊技者本人以外の第三者が入金限度額を変更できるようにしてもよい。つまり、前記実施形態ではカード入金管理装置により本人の意志において入金限度額を設定することとしているが、本カード入金管理装置を統合するホール内端末に接続した通信接続線を通してホール内端末３０又はホール管理センター４０の端末より第三者による入金限度額の変更もできるようにしている。この場合の第三者は、例えば家族又は権限のあるホール管理者等とし、一定の条件、例えば特別のパスワードを使用するなどにより入金限度額の変更操作を行えるようにしている。また、日毎／週毎／月毎／年毎等予め定めた期間外であれば、この場合も本発明でいう入金限度額変更を可能にする一定の条件を満たす。
【００１７】
また、ホール内端末３０とホール管理センター４０を通信接続して同管理センター４０の端末（図示せず）より指示することで、ホール管理センター４０から入金限度額変更が行えるようにすることも可能である。
これらの場合には、遊技者の意志に関係なく、例えば家族などの要望により強制的に入金限度額を設定することができる。
【００１８】
更に、遊技した後に持ち玉を精算した場合は、この持ち玉情報をそれと対応した金額に変換して予備入入金金額としてカード又はホール管理センター４０の記憶手段に保持することで、実際の入金累計金額が入金限度額に到達したとしても、予備入金金額は追加入金としては加算しない（つまり、精算した玉分の遊技を次回入金限度チェック時に上乗する）ようにすることもできる。
【００１９】
入金累計額と持ち玉を精算した予備入金金額差分を計算し、差分額が予め規定した額を超えた場合、入金限度上限額なるものを設け次回入金限度額に制限をかけることもできる。つまり、予備入金金額が小さくそれと入金累計額の差が一致範囲を超える場合、つまり精算金額が小さい場合には累計損失を抑制するため、次回の入金額を最初の入金限度額よりも強制的に低く設定する。
【００２０】
以下に、実施例を示す。
（差額が４０，０００円以上になると規制をかける例）
本日の精算結果                    翌日の精算許可
入金限度上限額      ５０，０００円  →  ４０，０００円
入金限度額          ５０，０００円  →  ４０，０００円迄しか入力できない
累計入金額          ５０，０００円（支出額）
予備入金金額            ０円（精算額）
差額              −５０，０００円
【００２１】
つまり、本日の入金限度額を５０，０００円とし本日中に５０，０００円入金したとし、その場合遊技終了時における精算額は０つまり入金した金額を全て使い果たした場合、翌日の入金限度額を自動的に４０，０００円に下げるようにする。
このようにすることにより、一日毎の管理だけではなく一定期間における支出も抑制することができる。
【００２２】
以上の説明においては、入金限度額情報等はホール管理センター４０の記憶装置に記憶させているが、先述のようにカードに記録しておくこともできる。また、ホール内端末３０はホール管理センター内の端末であってもよい。
【００２３】
【発明の効果】
請求項１ないし３に対応する効果：遊技者が遊技に夢中になりすぎて過剰な投資を行おうとした時に強制的に停止させることが出来る。
請求項４に対応する効果：変更不可能な入金限度額を例えば家族の要請により強制的に変更して過剰の出費を事前に防止することができる。
請求項５に対応する効果：入金を行う場合必ず入金限度額を設定する必要があるから、出費を確実に限度額内に抑えることができる。
請求項６に対応する効果：遊技用記録媒体を精算したときの生産額が入金額よりも所定幅以上に開いたとき、つまり損失が多いときには次回の入金時の入金限度額が前回よりも強制的に減らされるから、所定期間内における出費を抑制することができる。
【図面の簡単な説明】
【図１】本発明の遊技用記録媒体の入金限度額管理装置を概略的に示した図である。
【図２】本発明の遊技用記録媒体における入金限度額管理装置における入金管理処理を説明するためのフロー図である。
【符号の説明】
１・・・現金、２・・・カード、１０・・・遊技機、１２・・・カード挿入口、２０・・・カード販売機、２２・・・現金投入口、２４・・・カード挿入口、２５・・・カード及び釣り銭の払い出し口、２６・・・表示装置、２８・・・入力手段。
【図１】
2004261395.tif 000003
【図２】
2004261395.tif 000004